(57)【要約】  低音域電子楽器用真空管プリアンプで、電子増幅式の低音域楽器の音を豊かにするインライン信号前置増幅装置である。この機器は、標準１／４”入力ジャックおよび１／４”出力ジャックを使って、楽器とアンプとの間の信号経路に接続される。他の効果プロセッサは、本プリアンプ装置の前あるいは後いずれかに配置することができる。一つの制御ボリュームと、可変電流源駆動セクションを利用してさらに歪みを低減し低音域音響を豊かにするための、一つの超過駆動スイッチとが備えられている。該可変電流駆動部は、超過切替え位置では４８ｖｄｃのプレート電圧、通常位置では４０ｖｄｃのプレート電圧を使い、１２ＡＸ７真空管の各半分のプレートを駆動する。超過駆動位置の過使用は、１２ＡＸ７真空管の過早の故障を招くので控えめに使うべきである。  該ＥＢＩＰは、固体および真空管アンプ・アプリケーションの双方に有用である。本プリアンプは、特定種類の弦を使った電子低音ギターに対して特に効果的である。パッシブ・ピックアップは改良され、ファズトーン、ワウワウペダルなどの他の効果は改善された楽音を呈する。
2010516171.tif 000002
【特許請求の範囲】
【請求項１】
１／４”入力接続、１／４”出力接続、一つの制御ボリューム、および一つの真空管超過駆動スイッチを備えたインライン信号前置増幅装置である低音域電子楽器用真空管プリアンプ。
【請求項２】
１２ＡＸ７プリアンプ回路において、最新の薄膜「オレンジドロップ」型のコンデンサと組合された信号用オイル紙コンデンサの使用をさらに含み、前記回路は低音域楽器の電気信号の前記音を豊かにする請求項１に記載の低音域電子楽器用真空管プリアンプ。
【請求項３】
さらにひずみを減少させ音を豊かにするため、４０ｖｄｃまたは４８ｖｄｃいずれかで前記プレートを駆動する真空管超過駆動スイッチの使用をさらに含む請求項１に記載の低音域電子楽器用真空管プリアンプ。
【請求項４】
１２ＡＸ７真空管の前記プレートを駆動するためのＤＣ電圧電源（典型的には１５３ｖｄｃ）をさらに含む請求項１に記載の低音域電子楽器用真空管プリアンプ。
【請求項５】
１２ＡＸ７真空管の各半分の前記ヒーターを作動するためのＤＣ電圧電源（６．３ｖｄｃまたは１２．６ｖｄｃ）をさらに含む請求項１に記載の低音域電子楽器用真空管プリアンプ。
【請求項６】
ＲＦＩ除去のため、本明細書に添付の回路図に記載された前記部品を収容する接地された金属ボックスをさらに含む請求項１に記載の低音域電子楽器用真空管プリアンプ。
【発明の詳細な説明】
【技術分野】
【０００１】
本発明は、低音電子楽器用真空管プリアンプに関する。
【背景技術】
【０００２】
１９６０年近辺からオーディオ・アンプの音響に変化が出てきた。この時期に、初期のトランジスタ・ラジオが大量生産され、信号用コンデンサの製造の新しい工程が開発され用いられた。これら新しいコンデンサは、より小型で大量生産が容易であった。
【０００３】
この時期、ほとんどの楽器アンプはまだ真空管アンプであったが、これらに最新の信号用コンデンサが使われ始めた。これによって、低音域の楽器の音響は、高音域楽器に対するよりも大きな影響を受けた（例、低音ギターに対する音響制御は、これらギターが新規プロセスの信号コンデンサが出現する前に製作されたアンプを使って演奏されていた頃に比べて、十分に聴き分けられるよう音響を変化させられなくなった。
【発明の概要】
【発明が解決しようとする課題】
【０００４】
１９６０年代末から１９８０年代にかけて、ほとんどの楽器のアンプは、固体アンプとして生産され出した。これらのアンプは、音響が改良されたものでなく、製造工程が改善されたものであった。１９８０年代までに、一部のアンプおよび効果装置メーカーは、１２ＡＸ７真空管プリアンプの導入を開始し、これは高音域楽器の音を豊かにし、歪みを減少させるのに大きな効果をもたらした。低音域楽器に対しては同じほどには効果がなく、電子低音（例、スラップ、ピッキングなど）を演奏するための新しいやり方が開発された。デジタル効果プロセッサのさらなる開発によって低音域楽器の音響はある程度改良され、Ｋｅｎｎｅｄｙ（米国特許第４６７２６７１号）およびＫｅｎｎｅｄｙら（米国特許第４６４４２８９号）に用いられた、１２ＡＸ７真空管の２つの側を利用したプリアンプ回路は、本発明ＥＢＩＰとおおむね同様なやり方で、より豊かでひずみの少ない音を生成する。
【課題を解決するための手段】
【０００５】
本発明は、その好適な実施形態に従って説明されている。本発明の範囲を超えることなく、この実施形態の形状、配置、および値に変更を加えることが可能なのを理解すべきである。
【図面の簡単な説明】
【０００６】
【図１】底部側から見た１２ＡＸ７真空管の９本のピンの図である。ピン１および３はプレートに接続され、ピン２は１２ＡＸ７の一つの側のグリッドに接続されている。ピン６および８はプレートに接続され、ピン７は、１２ＡＸ７真空管の他方の側のグリッドに接続されている。ピン４、５、および９はヒーター・フィラメントに接続されている。
【図２】本ＥＢＩＰの簡単な回路図である。
【発明を実施するための形態】
【０００７】
低音電子楽器プリアンプ（Ｅｌｅｃｔｒｏｎｉｃ  Ｂａｓｓ  Ｉｎｓｔｒｕｍｅｎｔ  Ｐｒｅａｍｐｌｉｆｉｅｒ）（以降ＥＢＩＰという）は低音電子ギターおよび他の増幅式低音域楽器のためのオーディオ・プリアンプ・セクションである。本ＥＢＩＰ発明のベースは、使われている回路図にあるのでなく、オイル紙コンデンサの使用、およびこれらのコンデンサを最新の薄膜フィルムコンデンサと回路の中で組合わせて使うことにある。このプリアンプは、１２ＡＸ７真空管の半分を使い、より増強された効果を出すため、該真空管の超過駆動を可能にするスイッチを備えている。入力ソケットは、ＲＦＩ（無線周波妨害）対処のため、グラウンドから絶縁しておかなければならない。
【０００８】
オイル紙コンデンサは、１９５０年代から、一般的用途のためには製造されていないが、今日、高級オーディオ装置への使用が復活してきている。添付の回路図中のＣ１は、金属コーティング・オイル紙コンデンサであり、Ｃ２−Ｃ３は、直列配置された２つの．４７μＦの銅箔オイル紙コンデンサで構成されている。Ｃ４は、最新の「オレンジドロップ」コンデンサであり、Ｃ５は円板型磁器コンデンサである。抵抗器は全て１／２ワット定格である。１５３ｖｄｃのＢ＋電圧は、単なる典型的電圧であって、他の電圧であってもＲ１、Ｒ２、およびＲ４の値を多少調整すれば同様に作動できよう。ＥＢＩＰの電子部品は、接地された金属ボックスに収容される。
【０００９】
この回路は最終段に一つの制御ボリュームを含み、該ＥＢＩＰは、楽器とアンプとの間の信号回路に設置するよう設計されている。
【００１０】
真空管のヒーターには、６．３ｖｄｃまたは１２．６ｖｄｃが必要である。本回路図には、ヒーター回路が示されていないが、本回路にはこの種の典型的な真空管回路が組み込まれる。
【００１１】
これは、低音電子ギターの、特にこの楽器の下位オクターブ半の音を豊かにする点で、きわめてユニークな装置である。また、これは、他の低音域楽器に対しより豊かな音を生成するためにも非常に効果がある。前述したように、オイル紙コンデンサを最新型の量産薄膜コンデンサと組合わせて使用することに特に独自性がある。
【００１２】
Ｓ１を、超過駆動の位置にすることによって、より大きな音量で、低音電子ギターの音のひずみをさらに少なくすることができる。
（用語定義）
オイル紙コンデンサ：本明細書でいうオイル紙コンデンサは、ＡｕｄｉｏＮｏｔｅＵＫなどのハイテク電子企業で生産された各種のものを指す。
【００１３】
以下は、コンデンサの一般的定義である。
【００１４】
コンデンサは、通常、誘電絶縁材料によって隔てられた２枚の平行な導電プレートにより構成されるエネルギー保存デバイス（電子部品）である。これらのプレートの間に電圧が印加されると、誘電体中の電場が電荷を変位させ、これにより加えられたエネルギーを保存する。理想的には、誘電体中には自由電荷はなく、電荷は変位されている間は、導体中または半導体中におけるようには自由でなく、動き回ることができない、と見なされる。誘電体は、有極性または無極性の二通りに分類される。負電荷の質量中心と正電荷の質量中心とが同一点にある分子は、無極性とされる。前記の基準に合致しない場合、分子は有極性とされる。例えば、水の分子形態であるＨ２Ｏは有極性であるが、Ｈ２は無極性である。この一般化に基けば、コンデンサには有極性のものと無極性のものとがある。前記のプレートは、実際の金属箔、あるいは、絶縁材料の上に付着（積層）された金属膜とすることができる。最初のコンデンサ、ライデン瓶が発明されて以来、誰かによって考えられるほとんどあらゆるの誘電材料および形態が試されてきた。ワックス、電気化学フィルム、プラスチック、セラミック、ガラス、オイル、紙、鉱物、エア、その他のものが、単独で、あるいは、紙／ワックス、紙／エポキシ、プラスチック／プラスチック、紙／オイル、プラスチック／オイルなどの組合せ使用で用いられてきた。このような保存の質と量とを有するものがコンデンサと呼ばれる。
【００１５】
オレンジドロップ・コンデンサ：．１μｆ４００ｖｄｃのポリエステル・フィルムコンデンサである。
（１２ＡＸ７／ＥＣＣ８３型真空管）
１２ＡＸ７／ＥＣＣ８３は、小型高増幅ミューラー三極管であり、その各セクションは個別の陰極接続を有する。１２ＡＸ７／ＥＣＣ８３の構造は、ノイズおよびマイクロフォニ−が最小に低減されるようになっている。ハム雑音はコイル状のタングステン・ヒーターを使うことにより低減されている。中央部でタップされたヒーターによって、６．３または１２．６ボルトいずれかのヒーター電源による真空管の作動が可能である。
【００１６】
１２ＡＸ７／ＥＣＣ８３は、Ｈｉ−Ｆｉアンプ、位相インバータ、マルチバイブレータ、および高い電圧ゲインが必要な数多くの産業用制御回路の入力段のプリアンプに使われる真空管など、抵抗結合電圧アンプに使うのに特に適している。
（一般的特性）
・電気的特性
陰極  −  被覆、等電位
直列式、並列配置
ヒーター電圧、ＡＣまたはＤＣ    １２．６  −  ６．３ボルト
ヒーター電流                    ０．１５  −  ０．３アンペア
電極間直接容量                    シールド有  −  シールド無し
グリッド、プレート間（各セクション）  １．７  −  １．７μμＦ
入力（各セクション）                  １．８  −  １．６μμＦ
出力（セクション１）                  １．９  −  ０．４６μμＦ
出力（セクション２）                  １．９  −  ０．３４μμＦ
・機械的特性
全体的最大寸法
長さ            −  ２インチ３／１６
取り付け高さ    −  １インチ１５／１６
直径            −  ７／８インチ
搭載位置        −  いずれでも可
本発明は、その好適な実施形態に従って説明されている。本発明の範囲を超えることなく、この実施形態の形状、配置、および値に変更を加えることが可能なのを理解すべきである。
【図１】
2010516171.tif 000003
【図２】
2010516171.tif 000004
【国際調査報告】
2010516171.tif 000005